(57)【要約】【課題】  ポンプ部あるいはポンプ部を駆動するコイルの熱が制御部に伝達するのを抑制する電動ポンプを提供すること。【解決手段】  ポンプ部２０と制御部７０の収容空間を有するハウジング４０と、ポンプ部２０に配設され、流体を吸入し回転して吐出するアウタロータ２１及びインナロータ２２と、制御部７０に配設され、アウタロータ２１及びインナロータ２２の回転を制御する回路基板７０ａと、ポンプ部２０と制御部７０との間に配設され、回路基板７０ａより通電が成されるコイル１１と、コイル１１の通電により回転するモータロータ１２と、モータロータ１２の回転によりインナロータ２２を回転させるシャフト３０とを備え、ポンプ部２０と制御部７０との間には、熱伝達を遮蔽する断熱部材９０が介在される。【選択図】  図１
2013199922.tif 000002
【特許請求の範囲】
【請求項１】
流体を循環させるポンプ部と、
前記ポンプ部の回転を制御する制御部と、
前記ポンプ部及び前記制御部を備えるハウジングと、
前記制御部により通電が成されるモータ部と、を備え、
前記モータ部と前記制御部との間には、前記モータ部及び前記制御部の一方から他方へ前記ハウジングを介して伝達する熱を減少させる断熱部を有する電動ポンプ。
【請求項２】
前記モータ部は前記ポンプ部と前記制御部との間に配設される請求項１に記載の電動ポンプ。
【請求項３】
前記断熱部は、断熱部材である請求項１または２に記載の電動ポンプ。
【請求項４】
前記断熱部は、空気層である請求項１または２に記載の電動ポンプ。
【請求項５】
前記制御部を保護するカバーを備え、
前記断熱部材は、前記ハウジングと前記カバーとにより挟持される請求項３に記載の電動ポンプ。
【請求項６】
前記カバーは、前記ハウジングの一方の端面から前記制御部を覆って、前記制御部を内包する制御部内包部を構成する請求項５に記載の電動ポンプ。
【請求項７】
前記ハウジングは、前記モータ部と前記制御部との間に延在する支持部を備え、
前記断熱部材は、前記ハウジングと前記カバーとを固定する固定部材を用いて前記支持部の前記制御部側に取り付けられる請求項３に記載の電動ポンプ。
【請求項８】
前記ハウジングは、前記モータ部と前記制御部との間に延在する支持部を備え、
前記断熱部材は、接着剤を用いて前記支持部の前記制御部側に取り付けられる請求項３に記載の電動ポンプ。
【請求項９】
前記支持部は、前記モータ部と前記制御部を区画する隔壁であり、前記断熱部材は、前記隔壁の前記制御部側の面に沿って設けられる請求項７または８に記載の電動ポンプ。
【請求項１０】
前記ハウジングは前記制御部を内包する制御部内包部と、
前記モータ部を内包するモータ部内包部と、を備え、
前記断熱部は、前記制御部内包部と前記モータ部内包部との間に介在される請求項１から４のいずれか一項に記載の電動ポンプ。
【発明の詳細な説明】
【技術分野】
【０００１】
本発明は、電動ポンプに関するものである。
【背景技術】
【０００２】
従来、流体を循環させるポンプ部と、ポンプ部の回転を制御する制御部と、ポンプ部及び制御部を備えるハウジングと、ポンプ部と制御部との間に配設され、制御部より通電が成されるモータ部とを備えた電動ポンプが知られている（例えば、特許文献１参照）。
【先行技術文献】
【特許文献】
【０００３】
【特許文献１】特開２０１０−１４４５９５号公報
【発明の概要】
【発明が解決しようとする課題】
【０００４】
しかしながら、特許文献１に示される電動ポンプでは、モータ部と制御部とが隣り合って配設され一体となっているので、モータの熱が制御部へ伝達し、回路基板が高温になり易く、電動ポンプの作動環境として好ましくないため、改善の余地があった。
【０００５】
そこで、本発明は上記問題点に鑑みて成されたものであり、ポンプ部あるいはポンプ部を駆動するモータ部の熱が制御部に伝達するのを抑制することを課題とする。
【課題を解決するための手段】
【０００６】
本発明の課題解決手段は、流体を循環させるポンプ部と、前記ポンプ部の回転を制御する制御部と、前記ポンプ部及び前記制御部を備えるハウジングと、前記制御部により通電が成されるモータ部と、を備え、前記モータ部と前記制御部との間には、前記モータ部及び前記制御部の一方から他方へ前記ハウジングを介して伝達する熱を減少させる断熱部を有する構成とした。
【０００７】
本発明の電動ポンプによれば、ハウジングを介してモータ部及び制御部の一方から他方へ伝達する熱を減少させる断熱部を有することで、ポンプ部あるいはポンプ部を駆動するモータ部の熱が制御部へ伝達することを抑制でき、回路基板が高温にさらされることを低減させ、電動ポンプの信頼性を確保できる。
【０００８】
本発明の課題解決手段においては、前記モータ部は前記ポンプ部と前記制御部との間に配設されると好ましい。
【０００９】
モータ部は、ポンプ部と制御部との間に配設されることで、ポンプ部、モータ部、制御部と同軸上に並べることで、軸径方向のサイズを低減することができる。
【００１０】
本発明の課題解決手段においては、前記断熱部は、断熱部材であると好ましい。
【００１１】
モータ部と制御部との間には、ハウジングを介してモータ部及び制御部の一方から他方への熱伝達を減少させる断熱部材を有することで、既存の断熱部材を用いてポンプ部あるいはポンプ部を駆動するモータ部の熱が制御部へ伝達することを抑制でき、回路基板が高温にさらされることを低減させ、電動ポンプの信頼性を確保できる。
【００１２】
本発明の課題解決手段においては、前記断熱部は、空気層であると好ましい。
【００１３】
モータ部と制御部との間には、ハウジングを介してモータ部及び制御部の一方から他方への熱伝達を減少させる空気層を有することで、部品点数を増加させることなくポンプ部あるいはポンプ部を駆動するモータ部の熱が制御部へ伝達することを抑制でき、回路基板が高温にさらされることを低減させ、電動ポンプの信頼性を確保できる。
【００１４】
本発明の課題解決手段においては、前記制御部を保護するカバーを備え、前記断熱部材は、前記ハウジングと前記カバーとにより挟持されると好ましい。
【００１５】
断熱部材は、ハウジングとカバーとにより挟持されることで、ハウジングとカバーとの接合面全てに断熱部材が介在し、よりポンプ部あるいはポンプ部を駆動するモータ部の熱が制御部へ伝達するのを抑制すると同時に、断熱部材を固定する部品を増加させることがない。
【００１６】
本発明の課題解決手段においては、前記カバーは、前記ハウジングの一方の端面から前記制御部を覆って、前記制御部を内包する制御部内包部を構成すると好ましい。
【００１７】
カバーは、ハウジングの一方の端面から制御部を覆うことで、制御部を保護する収容空間を構成することができ、外部から異物が侵入して制御部に付着することを抑制できる。
【００１８】
本発明の課題解決手段においては、前記ハウジングは、前記モータ部と前記制御部との間に延在する支持部を備え、前記断熱部材は、前記ハウジングと前記カバーとを固定する固定部材を用いて前記支持部の前記制御部側に取り付けられると好ましい。
【００１９】
ハウジングは、モータ部と制御部との間に延在する支持部を備え、断熱部材は、ハウジングとカバーとを固定する固定部材を用いて支持部の制御部側に取り付けるため、断熱部材を固定する部品を増加させることがない。
【００２０】
本発明の課題解決手段においては、前記ハウジングは、前記モータ部と前記制御部との間に延在する支持部を備え、前記断熱部材は、接着剤を用いて前記支持部の前記制御部側に取り付けられると好ましい。
【００２１】
ハウジングは、モータ部と制御部との間に延在する支持部を備え、断熱部材は、接着剤を用いて支持部の制御部側に取り付けるため、断熱部材を固定する部品を増加させることがない。
【００２２】
本発明の課題解決手段においては、前記支持部は、前記モータ部と前記制御部を区画する隔壁であり、前記断熱部材は、前記隔壁の前記制御部側の面に沿って設けられると好ましい。
【００２３】
支持部は、モータ部と制御部を区画する隔壁であり、モータ部と制御部とを区画して断熱部を設けることで、さらにポンプ部あるいはポンプ部を駆動するモータ部の熱が制御部へ伝達するのを抑制でき、回路基板が高温にさらされることを低減させ、電動ポンプの信頼性を確保できる。
【００２４】
本発明の課題解決手段においては、前記ハウジングは前記制御部を内包する制御部内包部と、前記モータ部を内包するモータ部内包部と、を備え、前記断熱部は、前記制御部内包部と前記モータ部内包部との間に介在されると好ましい。
【００２５】
断熱部は、制御部内包部と、モータ部内包部と、の間に介在されることで、さらにポンプ部あるいはポンプ部を駆動するモータ部の熱が制御部へ伝達するのを抑制でき、回路基板が高温にさらされることを低減させ、電動ポンプの信頼性を確保できる。
【図面の簡単な説明】
【００２６】
【図１】本発明の実施形態に係る電動ポンプのシャフト軸方向の断面図である。
【図２】本発明の実施形態に係る電動ポンプのII-II線における断面図である。
【図３】本発明の第１変形例に係る電動ポンプのシャフト軸方向の断面図である。
【図４】本発明の第２変形例に係る電動ポンプのシャフト軸方向の断面図である。
【図５】本発明の第２変形例に係る電動ポンプのV-V線における断面図である。
【図６】本発明の第３変形例に係る電動ポンプのシャフト軸方向の断面図である。
【図７】本発明の第３変形例に係る電動ポンプのVII-VII線における断面図である。
【発明を実施するための形態】
【００２７】
以下、本発明の実施例を図面に基づいて説明する。本発明の電動ポンプＸは自動車において、エンジン、トランスミッション、ＨＶ駆動モータの冷却及び潤滑、または各種システムの油圧源として使用されるものであるが、これらの用途に限るものではなく、オイル以外の流体の供給に使用しても良い。
【００２８】
図１〜２に示したように本発明の電動ポンプＸは、電磁力によって回転するモータロー
タ１２（モータ部）と、オイルを循環させるアウタロータ２１及びインナロータ２２を備えたポンプ部２０と、一方にモータロータ１２を支持し、他方にインナロータ２２を支持してモータロータ１２からの回転力をポンプ部２０に伝達するシャフト３０と、モータロータ１２・ポンプ部２０・シャフト３０を収容するハウジング４０と、ハウジング４０の一方の端面を覆い制御部７０を保護するカバー８０と、ハウジング４０とカバー８０とにより挟持され、コイル１１とモータロータ１２から制御部７０の上壁４１ｄ及び端面４１ｘを介して伝達する熱を減少させる断熱部材９０と、を備える。
【００２９】
ハウジング４０は、少なくともシャフト３０のうちモータロータ１２とインナロータ２２との間を支持する軸受部４４を有する。
【００３０】
（モータロータ）
モータロータ１２は、ハウジング４０に配設したコイル１１（モータ部）の内周に回転可能となるように設けられ、シャフト軸芯Ｙを中心とする円柱状で磁気を有する成形物である。また、コイル１１とモータロータ１２は、ポンプ部２０と制御部７０との間に配設される。
【００３１】
モータロータ１２は、その外周部分に沿って複数の永久磁石１２ａを配置するとともに、当該永久磁石１２ａを保持するバックヨーク１２ｂを備える。永久磁石１２ａは、その複数個を周方向にＮ極とＳ極とが交互になるように配設してある。バックヨーク１２ｂは薄板の磁性鋼板を積層したものである。永久磁石１２ａにバックヨーク１２ｂを近接配置することにより、永久磁石１２ａの磁束の拡がりを制限してモータロータ１２とコイル１１との間の磁束密度を高めている。
【００３２】
永久磁石１２ａおよびコイル１１により、電磁力によって回転力を引き起こすモータ領域が形成される。
【００３３】
本実施形態では、バックヨーク１２ｂに永久磁石１２ａを保持した状態で、バックヨーク１２ｂ・永久磁石１２ａ・シャフト３０を樹脂一体成形した態様を例示する。このように樹脂一体成形することで、ディスク状部１２ｃが形成される。これら３つの部材（バックヨーク１２ｂ・永久磁石１２ａ・シャフト３０）は樹脂一体成形した回転子６０としてハウジング４０に組み付けられる。本実施形態では、回転子６０をハウジングに組み付ける際に、永久磁石１２ａとバックヨーク１２ｂとを接着する手間が省けるため、電動ポンプＸの組み立て効率が向上する。
【００３４】
なお、本実施形態では、バックヨーク１２ｂの外周に永久磁石１２ａを配設したＳＰＭタイプであるが、バックヨークの内部に永久磁石を配設したＩＰＭタイプでも良い。また、バックヨーク１２ｂは薄板の磁性鋼板を積層したものに限らず、鉄製のリングでも良い。
【００３５】
（ポンプ部）
ポンプ部２０は、アウタロータ２１及びインナロータ２２を備える。インナロータ２２
はシャフト軸芯Ｙ周りで回転し、アウタロータ２１はインナロータ２２の外部に配置され
る。アウタロータ２１はシャフト軸芯Ｙと偏心した図示しない軸芯を設けられ、回転自在にポンプ部２０に支持されている。
【００３６】
本実施形態のポンプ部２０では、ロータ式の内歯を有するアウタロータ２１および当該内歯に噛み合う外歯を有するインナロータ２２を例示するが、この態様に限られるものではない。
【００３７】
インナロータ２２の外周にはトロコイド曲線に従う歯面形状の複数の歯部が形成されている。アウタロータ２１の内周には、インナロータ２２の歯数より１つ多い歯数の歯部が形成されている。このアウタロータ２１の歯形はインナロータ２２の回転時にインナロータ２２の歯部に接触する形状に成形されている。アウタロータ２１の内周とインナロータ２２の外周との間には多数のポンプ空間が断続形成されている。
【００３８】
（シャフト）
シャフト３０は、一方にモータロータ１２を支持し、他方にインナロータ２２を支持してモータロータ１２からの回転力をポンプ部２０に伝達する。シャフト３０は、例えば鋼材などの金属材料で形成する。
【００３９】
後述するように、シャフト３０は、径方向には第２ハウジング４２の軸受部４４に回転可能に支持されており、軸方向には自由端となっているシャフト端部３０ａ、３０ｂのストッパとなる第１ハウジング凹部４１ｅと第３ハウジング凹部４３ｅとの間に配設されている。シャフト３０の回転時には、モータロータ１２およびインナロータ２２はシャフト３０と一体回転する。
【００４０】
（ハウジング）
ハウジング４０は、モータロータ１２・ポンプ部２０・シャフト３０を収容する。ハウジング４０は、全体の外形がシャフト軸芯Ｙを中心とした円柱状となっている。
【００４１】
本実施形態では、ハウジング４０を３つの部材で構成した場合について説明する。具体的には、ハウジング４０は、シャフト３０の一方を封じる第１ハウジング４１と、軸受部４４を備える第２ハウジング４２と、シャフト３０の他方を封じる第３ハウジング４３とで構成してある。
【００４２】
本実施形態では、シャフトの両端を封じる第１ハウジング４１、第３ハウジング４３と、軸受部４４を備える第２ハウジング４２とをそれぞれ別部材として製造できるため、各ハウジング部材にシャフト３０を収容するための加工を個別に施すことができる。なお第１ハウジング４１は、コイル１１へ通電を成しポンプ部２０の回転を制御する制御部７０とコイル１１とモータロータ１２とを備え、第２ハウジング４２と第３ハウジング４３はポンプ部２０を備える。
【００４３】
これら第１ハウジング４１、第２ハウジング４２、第３ハウジング４３は、金属製あるいは樹脂製の何れであってもよい。
【００４４】
第１ハウジング４１、第２ハウジング４２の端部であるフランジ部４１ａ、４２ａにはボルト挿通孔４１ｂ、４２ｂがそれぞれ穿設してあり、第３ハウジング４３の端部であるフランジ部４３ａには雌ネジ部４３ｂが穿設してある。これらボルト挿通孔４１ｂ、４２ｂに挿通するボルト５０の雄ネジ部を雌ネジ部４３ｂに螺合させ締め付けることにより、第１ハウジング４１、第２ハウジング４２、第３ハウジング４３が連結されてハウジング４０が構成される。
【００４５】
第１ハウジング４１は、シャフト軸芯Ｙに沿う方向での一方の端部にポンプ部２０の回転を制御する制御部７０を形成し、シャフト軸芯Ｙに沿う方向で他方の端部にモータロータ１２が収容される凹状空間Ｓを形成し、この凹状空間Ｓを取り囲む部位にコイル１１を形成している。
【００４６】
第１ハウジング４１は、例えば樹脂材料を用いることによりコイル１１を密封して形成する。凹状空間Ｓはシャフト軸芯Ｙを中心とする所定の半径で内周壁４１ｃが形成され、上壁４１ｄ（支持部）にはシャフト軸芯Ｙを中心としてシャフト端部３０ａのストッパとなる第１ハウジング凹部４１ｅが形成される。上壁４１ｄは、コイル１１及びモータロータ１２と制御部７０との間に介在しコイル１１及びモータロータ１２側と制御部７０とを区画する。
【００４７】
制御部７０には、電力トランジスタで成るドライバ回路、および、界磁コイル１１ｂの逆起電力から回転子６０の回転姿勢を判定するセンシング処理部等を備えた回路基板７０ａが形成される。
【００４８】
コイル１１は、コア部材１１ａに界磁コイル１１ｂを巻線してある。コア部材１１ａ
は、シャフト軸芯Ｙの方向に複数の薄板である磁性鋼板を積層して筒状に形成される。この積層磁性鋼板は、磁性鋼板同士の間に絶縁膜を挟み込むことにより磁性鋼板同士の間での電流の流れを阻止する絶縁構造を有している。コイル１１は、シャフト軸芯Ｙを中心にしてその複数個を環状に配設してある（図２）。
【００４９】
第２ハウジング４２は例えば金属材料で形成する。第１ハウジング４１に対向する面には凹状空間Ｓに嵌り込む突出部４２ｃが形成され、この突出部４２ｃにはシャフト軸芯Ｙを中心とする軸受部４４が形成される。当該軸受部４４にシャフト３０が貫通する。突出部４２ｃは内周壁４１ｃの半径と一致する半径の円柱状に成形されている。
【００５０】
第２ハウジング４２には、アウタロータ２１の半径と一致する半径の円形凹部４２ｅが形成されている。当該円形凹部４２ｅは第３ハウジング４３の側に形成され、その内部にはポンプ部２０が支持される。円形凹部４２ｅの内周にアウタロータ２１の外周が摺接するように嵌め込まれる。
【００５１】
アウタロータ２１とインナロータ２２との厚さ(シャフト軸芯Ｙに沿う方向での寸法)と円形凹部４２ｅの深さ（シャフト軸芯Ｙに沿う方向での深さ）とは一致する。従って、第３ハウジング４３が円形凹部４２ｅを閉塞する位置に配置されることにより、この第３ハウジング４３と第２ハウジング４２とに挟み込まれる位置にアウタロータ２１とインナロータ２２とが配設される。
【００５２】
第１ケース４１に第２ケース４２を密着させる場合には、突出部（内側嵌合部）４２ｃが凹状空間Ｓに嵌り込むことにより内周壁（外側嵌合部）４１ｃと嵌合する。これにより、第１ケース４１と第２ケース４２との相対的な位置関係が決まり、第１ケース４１に対して想定されたシャフト軸芯Ｙと、第２ケース４２に想定されたシャフト軸芯Ｙとを精度高く一致させることが可能となる。
【００５３】
なお、第１ケース４１に第２ケース４２を略全周に亘って密着させれば、ケース４０内の密封度を高めることができる。
【００５４】
また、第１ケース４１と第２ケース４２との間に、ポンプ部２０からオイルが第１ハウジング４１の側に漏洩するのを防止するシール部材を設けてもよい。
【００５５】
第３ケース４３は例えば金属材料でプレート状に形成され、第２ケース４２に対して第１ケース４１の反対側に連結される。第３ケース４３には、当該第２ケース４２に対応する部位には吸込ポート４３ｃと吐出ポート４３ｄとが穿設してある。具体的には、アウタロータ２１とインナロータ２２との相対的な回転によりオイルに高い圧力が作用する領域に吐出ポート４３ｄを配し、オイルに低い圧力が作用する領域に吸込ポート４３ｃを配置する。
【００５６】
さらに第３ケース４３には、シャフト軸芯Ｙと中心としてシャフト端部３０ｂのストッパとなる第３ハウジング凹部４３ｅが形成してある。
【００５７】
（カバー）
カバー８０は、金属製あるいは樹脂製であり、第１ハウジング４１の一方の端面４１ｘから、回路基板７０ａを覆って制御部７０の空間を構成するように設けられる。つまり、カバー８０は、制御部７０を内包して保護している。なお、第１ハウジング４１の一方の端面４１ｘには雌ネジ部４１ｆが穿設してあり、カバー８０には第１ハウジング４１に穿設される雌ネジ部４１ｆに対応する位置に雌ネジ部８０ｆ及びボルト挿通孔８１が穿設してある。このボルト挿通孔８１に挿通するボルト５０ｆの雄ネジ部を雌ネジ部８０ｆ及び雌ネジ部４１ｆに螺号させ締め付けることにより、第１ハウジング４１とカバー８０とが連結されて固定される。
【００５８】
（断熱部材）
断熱部材９０（断熱部）は、熱可塑性樹脂の樹脂発泡材（ウレタンフォーム、ポリスチレンフォームなど）、金属材（アルミニウムなど）、無機繊維材（ガラスウール、ロックウールなど）、またはこれらの複合材から構成される。断熱部材９０は、コイル１１及びモータロータ１２から制御部７０への熱伝達を減少させるため、上壁４１ｄを介してコイル１１及びモータロータ１２と制御部７０との間に設けられる。断熱部材９０は、第１ハウジング４１の一方の端面４１ｘを覆うように構成されている。断熱部材９０は、上壁４１ｄ及び端面４１ｘの制御部７０側の面を覆うように密着し、第１ハウジング４１と回路基板７０ａとの間に介在するように設けられる。なお、断熱部材９０には第１ハウジング４１に穿設される雌ネジ部４１ｆとカバー８０に穿設される雌ネジ部８０ｆ及びボルト挿通孔８１に対応する位置にボルト挿通孔９０ｆが穿設してある。このボルト挿通孔８１及びボルト挿通孔９０ｆに挿通するボルト５０ｆの雄ネジ部を雌ネジ部８０ｆ及び雌ネジ部４１ｆに螺号させ締め付けることにより、断熱部材９０は、第１ハウジング４１とカバー８０とに挟持されて固定される。本実施形態では、断熱部材９０は、第１ハウジング４１の凹部状の開口端４１ｇに沿って密着して取り付けられているが、必ずしも第１ハウジング４１の凹部状の開口端４１ｇに沿って密着していなくても良い。本実施形態においては、第１ハウジング４１とカバー８０とにより、制御部７０を内包する制御部内包部が構成され、第１ハウジング４１、第２ハウジング４２、第３ハウジング４３により、コイル１１とモータロータ１２を内包するモータ内包部が構成されている。そして、断熱部材９０は、制御部内包部と、モータ内包部との間に介在される。
【００５９】
本実施形態の動作について説明する。
【００６０】
電動ポンプＸは、制御部７０によって複数の界磁コイル１１ｂに供給する電力を制御することにより、モータロータ１２の永久磁石１２ａに作用する磁気が反転し、この磁気の反転により回転子６０が回転する。この回転力はシャフト３０を介してポンプ部２０のインナロータ２２に伝えられ、当該インナロータ２２を回転させ、この回転に連動させてアウタロータ２１を回転させる。
【００６１】
このアウタロータ２１とインナロータ２２との相対的な回転により夫々の歯部が深く噛み合うことによりオイルに高い圧力が作用する領域のオイルが吐出ポート４３ｄから吐出し、夫々の歯部の噛み合が浅くオイルに低い圧力が作用する領域に対して吸込ポート４３ｃからオイルが供給されることになる。
【００６２】
なお、ポンプ部２０により循環されるオイルの温度は、１００〜１２０℃前後まで上昇し、さらにコイル１１で発生する熱による温度変化は２０℃程上昇するため、ポンプ部２０により循環されるオイルの温度が１２０℃のとき、更にコイル１１の発熱が加わり、ポンプ部２０の温度は、１４０℃程度まで上昇する。
【００６３】
本実施形態の効果について説明する。
【００６４】
コイル１１及びモータロータ１２と制御部７０との間には、その一方から他方、本実施形態においてはコイル１１及びモータロータ１２から制御部７０の上壁４１ｄ及び端面４１ｘを介して伝達する熱を減少させる断熱部材９０を有することで、既存の断熱部材を用いてポンプ部２０あるいはポンプ部２０を駆動するコイル１１の熱が制御部７０へ伝達するのを抑制でき、回路基板７０ａが高温にさらされることを低減させ、電動ポンプＸの信頼性を確保できる。
【００６５】
また、コイル１１及びモータロータ１２はポンプ部２０と制御部７０との間に配設されることで、ポンプ部２０、コイル１１及びモータロータ１２、制御部７０と同軸上に並べることで、電動ポンプＸの径方向のサイズを低減することができる。
【００６６】
また、断熱部材９０は、第１ハウジング４１とカバー８０により挟持されることで、第１ハウジング４１とカバー８０との接合面全てに断熱部材９０が介在し、よりポンプ部２０あるいはポンプ部２０を駆動するコイル１１の熱が制御部７０へ伝達するのを抑制でき、回路基板７０ａが高温にさらされることを低減させ、電動ポンプＸの信頼性を確保できると同時に、断熱部材９０を固定する部品を増加させることがない。
【００６７】
また、カバー８０は、第１ハウジング４１の一方の端面から制御部７０を覆うことで、制御部７０を保護する収容空間を構成することができ、外部から異物が侵入して制御部７０に付着することを抑制できる。
【００６８】
また、第１ハウジング４１は、コイル１１及びモータロータ１２と制御部７０との間に延在する上壁４１ｄを備え、断熱部材９０は、第１ハウジング４１とカバー８０を固定するボルト５０ｆを用いて上壁４１ｄの制御部７０側に取り付けるため、断熱部材９０を固定する部品を増加させることがない。
【００６９】
また、上壁４１ｄは、コイル１１及びモータロータ１２と制御部７０とを区画する隔壁であり、コイル１１及びモータロータ１２と制御部７０とを区画して断熱部材９０を設けることで、さらにポンプ部２０あるいはポンプ部２０を駆動するコイル１１の熱が制御部へ伝達するのを抑制でき、回路基板７０ａが高温にさらされることを低減させ、電動ポンプＸの信頼性を確保できる。
【００７０】
図３は、本発明の第１変形例に係る電動ポンプＸのシャフト３０軸方向の断面図である。図１に示す実施形態と異なる点は、カバー８０ａが回路基板７０ａを覆って保護するよう設けられ、溶着で第１ハウジング４１に固定され制御部７０を構成する点と、溶着される第１ハウジング４１とカバー８０ａの溶着部よりシャフト３０軸方向に対して径方向の内側で断熱部材９０ａが第１ハウジング４１に接着して直接取り付けられる点である。なお、断熱部材９０ａを第１ハウジング４１に直接取り付けられる際には、接着、ボルト止め、吹き付け、無電解メッキ、等の固定手段が考えられる。
【００７１】
本発明の第１変形例の効果について説明する。
【００７２】
本発明の第１変形例によると、第１ハウジング４１は、コイル１１及びモータロータ１２と制御部７０との間に延在する上壁４１ｄを備え、断熱部材９０ａは、第１ハウジング４１とカバー８０ａを固定する接着剤を用いて上壁４１ｄの制御部７０側に取り付けるため、断熱部材９０ａを固定する部品を増加させることがない。
【００７３】
また、上壁４１ｄは、制御部７０を区画する隔壁であるため、コイル１１側と制御部７０を区画することができる。
【００７４】
また、上壁４１ｄは、コイル１１側と制御部７０とを区画するものに限らず、断熱部材９０ａを支持できれば良い。例えば、第１ハウジング４１ａの外周からシャフト３０軸方向へ延在する支持部であったり、格子状の部材であっても良い。この場合、断熱部材９０ａは、第１ハウジング４１ａとしての上壁４１ｄを介して伝達する熱に限らず、空間を介して伝達する熱も減少させることとなる。
【００７５】
図４は、本発明の第２変形例に係る電動ポンプＸのシャフト３０軸方向の断面図である。図５は、本発明の第２変形例に係る電動ポンプＸのV-V線における断面図である。本発明の第２変形例は、第１ハウジング４１ｈが制御部７０を内包する制御部内包部４１ｉとコイル１１及びモータロータ１２を内包するモータ内包部４１ｊと、を備える。本変形例が、図１、２に示す実施形態と異なる点は、制御部内包部４１ｉと、モータ内包部４１ｊとの間に空気層４５を介在し、接合部４１ｋ、４１ｌ、４１ｍ、４１ｎ、４１ｏで接合される点である。なお、接合部４１ｋ、４１ｌ、４１ｍは、ターミナル４６ｋ、４６ｌ、４６ｍを内部に有し、制御部７０とコイル１１とを電気的に接続している。
【００７６】
本発明の第２変形例の効果について説明する。
【００７７】
本発明の第２変形例によると、コイル１１及びモータロータ１２と制御部７０との間には、その一方から他方、本変形例においてはコイル１１及びモータロータ１２から制御部７０の上壁４１ｄ及び端面４１ｘを介して伝達する熱を減少させる空間４５を有することで、ポンプ部２０あるいはポンプ部２０を駆動するコイル１１の熱が制御部７０へ伝達するのを抑制でき、回路基板７０ａが高温にさらされることを低減させ、電動ポンプＸの信頼性を確保できる。
【００７８】
図６は、本発明の第３変形例に係る電動ポンプＸのシャフト３０軸方向の断面図である。図７は、本発明の第３変形例に係る電動ポンプＸのVII-VII線における断面図である。本発明の第３変形例は、第１ハウジング４１ｐが制御部７０を内包する制御部内包部４１ｑとコイル１１及びモータロータ１２を内包するモータ内包部４１ｒと、を備える。本変形例が、図４、５に示す第２変形例と異なる点は、制御部内包部４１ｑ長手方向とモータ内包部４１ｒ長手方向とが直行する方向の間に空気層４５ａを介在し、接合部４１ｓ、４１ｔ、４１ｕで接合される点である。
【００７９】
本発明の第３変形例の効果について説明する。
【００８０】
本発明の第３変形例によると、制御部内包部４１ｑの位置を変更し、ポンプ部２０、コイル１１及びモータロータ１２、制御部７０とを略Ｌ字形状に並べることで、電動ポンプＸの軸方向のサイズを低減できる。
【符号の説明】
【００８１】
Ｘ      電動ポンプ
１１    コイル（モータ部）
１２    モータロータ（モータ部）
２０    ポンプ部
３０    シャフト
４１    ハウジング
４１    第１ハウジング（ハウジング）
４２    第２ハウジング（ハウジング）
４３    第３ハウジング（ハウジング）
４５    空気層（断熱部）
４５ａ  空気層（断熱部）
９０    断熱部材（断熱部）
９０ａ  断熱部材（断熱部）
【図１】
2013199922.tif 000003
【図２】
2013199922.tif 000004
【図３】
2013199922.tif 000005
【図４】
2013199922.tif 000006
【図５】
2013199922.tif 000007
【図６】
2013199922.tif 000008
【図７】
2013199922.tif 000009